(57)【特許請求の範囲】
【請求項１】
ペットの首輪又は胴輪等に連結して使用する先端にフックを有する紐部と把持部を有する１本の帯状体からなる引き紐の該把持部を輪状に形成すると共に、該把持部を摺動係止具により伸縮可能に形成し、係止突部と該係止突部が係脱可能な受部とからなる離脱可能な連結具を前記把持部に介在させると共に前記摺動係止具をこれら係止突部又は受部の根部に一体に形成したペットの引紐において、前記摺動係止具に摺動係止される帯状の紐部と把持部の両近傍個所を方形の補強環内に共に挿通したことを特徴とするペットの引紐。
【請求項２】
前記摺動係止具は方形の枠状環とその両側辺部の中間部分を連結する連結杆とからなり、前記帯状の把持部が前記枠状環内を挿通すると共に前記連結杆に折り返し係止していることを特徴とする請求項１に記載のペットの引紐。
【請求項３】
１本の帯状体の中間部に係止環を嵌挿すると共に、該帯状体の両端部にそれぞれフックを結着し、これらフックのうち１方のフックをペットの首輪又は胴輪に連結して紐部に形成すると共に他方のフックを前記係止環に係止して輪状の把持部に形成し、該係止環に挿通される帯状の該紐部と該把持部の両近傍個所を方形の補強環内に共に挿通したことを特徴とするペットの引紐。
【請求項４】
前記帯状の紐部と把持部は少なくとも前記補強環に当接する側の面に横縞状に凹凸が形成されていることを特徴とする請求項１乃至請求項３のいずれか１に記載のペットの引紐。
【請求項５】
前記補強環内の面積は、該補強環内に挿通する帯状の紐部と把持部の断面積の和より少許大に形成されていることを特徴とする請求項１乃至請求項４のいずれか１に記載のペットの引紐。
【請求項６】
前記補強環の環状の内側の長手方向側の縁の形状は角のある縁であることを特徴とする請求項１〜４のいずれか１に記載のペットの引紐。
【請求項７】
前記係止環は前記帯状体の挿通及びフックの係止のためのＤ形或いは円形或いは角形の環体よりなることを特徴とする請求項３に記載のペットの引紐。
【請求項８】
前記係止環は前記帯状体の挿通孔とフックの係止孔とを有することを特徴とする請求項３に記載のペットの引紐。
【発明の詳細な説明】
【０００１】
【発明の属する技術分野】
本発明は犬等のペットの引き紐に関する。
【０００２】
【従来の技術】
従来この種の引き紐として、ペットの首輪又は胴輪等に連結して使用する引き紐の該把持部を輪状に形成すると共に、該把持部を摺動係止具により伸縮可能に形成し、係止突部と該係止突部が係脱可能な受部とからなる離脱可能な連結具を前記把持部に介在させると共に前記摺動係止具をこれら係止突部又は受部の根部に一体に形成し、該摺動係止具は方形の枠状環とその両側辺部の中間部分を連結する連結杆とからなり、前記帯状の把持部が前記枠状環内を挿通すると共に前記連結杆に折り返し係止しているものが知られている。
【０００３】
【発明が解決しようとする課題】
この従来の引き紐の輪状の把持部は摺動係止具の部分において帯状の紐が滑ってずれ易く、ペットが強く引いたりすると把持部の輪が小さくなって手や肩から斜目掛けの紐が体を締め付けてしまう問題があった。
【０００４】
本発明はこの問題点を解消し、摺動係止具において紐がずれずに把持部の当初の輪状を維持することができるペットの引き紐を提供することを目的とする。
【０００５】
【課題を解決するための手段】
本発明は上記の目的を達成すべく、ペットの首輪又は胴輪等に連結して使用する先端にフックを有する紐部と把持部とからなる引き紐の該把持部を輪状に形成すると共に、該把持部を摺動係止具により伸縮可能に形成し、係止突部と該係止突部が係脱可能な受部とからなる離脱可能な連結具を前記把持部に介在させると共に前記摺動係止具をこれら係止突部又は受部の根部に一体に形成したペットの引紐において、前記摺動係止具に摺動係止される帯状の紐部と把持部の両近傍個所を方形の補強環内に共に挿通したことを特徴とする。
【０００６】
【発明の実施の形態】
本発明の第１の実施の形態を図１乃至図３により説明する。
【０００７】
１は本発明の第１の実施の形態であるペットの引き紐を示し、該ペットの引き紐１は１本の帯状体２よりなり、該帯状体２は例えばナイロン糸を織って帯状に形成されていると共に、少なくともその１面は横縞状に凹凸部２ａが形成されている。
【０００８】
尚、両面に横縞の凹凸が形成されていると凹凸のある面を区別することなく製作を容易にすることができる。
【０００９】
該帯状体２は先端にペットの首輪や胴輪に係止するためのフック８が結着された紐部３と輪状に形成された把持部４とからなる。
【００１０】
５は摺動係止具、６は係止突部６ａと受部６ｂとからなる係脱可能な連結具を示し、該摺動係止具５は方形の枠状環５ａとその両側辺部の中間部分を連結する連結杆５ｂよりなると共に、該枠状環５ａに前記係止突部６ａの根部が一体に形成されている。更に７は補強環を示し、該補強環７は金属製或いは合成樹脂製の頑丈な長方形の環状に形成されていると共に内側の長手方向側の断面形状も角がある方形に形成されている。尚、該補強環７の外形と内側の短い側は丸味があってもよい。
【００１１】
図１及び図２に示す如く、前記帯状体２は先端側である紐部３側から前記補強環７内に下方から上方に挿通し更に把持部４の長さ調節用の前記摺動係止具５の方形の枠状環５ａの１方の開口の下方から上方に挿通してから該枠状環５ａの中間に設けられた連結杆５ｂの上面を被う様に折り返し、更に該枠状環５ａの他方の開口の上方から下方に挿通する。
【００１２】
そして既に前記紐部３側の帯状体２が挿通している前記補強環７の図で右側にある細い隙間に更に上方から帯状体２を挿通して該帯状体２の根部側に把持部４を形成し、該把持部４の末端である該帯状体２の末端を前記連結具６の受部６ｂの根部に設けられた透孔６ｃに挿通して結着し、該受部６ｂと係止突部６ａを連結すると把持部４は輪状となる。
【００１３】
次に、上記の第１の実施の形態であるペットの引き紐１の使用方法を図面により説明する。
【００１４】
先ず、紐部３の先端のフック８をペットの首輪や胴輪の係止環に係止し、次に連結具６の係止突部６ａと受部６ｂを連結して把持部４を輪状に形成する。そして把持部４の長さを小型犬なら手が入る位に、又、大型犬なら肩に掛けられる様に摺動係止具５に挿通している帯状体２を紐部３側から把持部４側に移動して調節する。その時紐部３と把持４の帯状体２が共に挿通している補強環７は摺動係止具５から図１で下方に少し離して調節し易くする。
【００１５】
更に、例えば肩に掛けるのに丁度良い長さになったら補強環７を摺動係止具５に接近させるが、両者を密着させなくてもよい。
【００１６】
もし、引き紐１に力が掛かると、摺動係止具５に挿通した帯状体２は補強環７の個所で紐部３側と把持部４側とに図で左右方向に引っ張られるが、該帯状体２に形成されている横縞状の凹凸部２ａの凹んだ個所に該帯状体２が当接する補強環７の内側の角の部分が引っ掛かり、前記摺動係止具５に挿通している帯状体２が全く滑ることなく、従って輪状の把持部４の長さは変化せず、当初の輪状を維持することができる。
【００１７】
もし、補強環７がないと摺動係止具５において帯状体２が滑って把持部の輪状が縮小して体を締め付けてしまうことになる。
【００１８】
次に本発明の第２の実施の形態を図４及び図５により説明する。
【００１９】
１１は本発明の第２の実施の形態であるペットの引き紐を示し、該ペットの引き紐１１は前記第１の実施の形態と同様に１本の帯状体２よりなり、少なくともその１面も同様に横縞状に凹凸部２ａが形成されており、両面に凹凸部があれば更に好ましい。
【００２０】
前記第１の実施の形態と異なるのは、該帯状体２の中間部に前記摺動係止具５の代りに簡単な構造の係止環１５を嵌挿し、又該帯状体２の両端部に各々頑丈なフック８、８が結着されていることであり、１方のフック８をペットの首輪や胴輪に連結して紐部３に形成し、又、他方のフック８を前記係止環１５に係止して輪状の把持部４に形成しており、該係止環１５に挿通された帯状の該紐部３と該把持部４を該係止環１５の近傍個所において前記第１の実施の形態と同様に頑丈な方形の補強環７内に共に挿通している。
【００２１】
尚、前記係止環１５は図４においてはＤ形の環体であるが円形或いは三角形或いは四角形等の環体でもよい。従って該係止環１５は前記第１の実施の形態の合成樹脂製の複雑な構造の摺動係止具５に比較して簡単な構造であるので、壊れ難く丈夫であり且つコストも低くすることができる。
【００２２】
次に本発明の第２の実施の形態であるペットの引き紐１１の使用方法を説明する。
【００２３】
先ず、１方のフック８をペットの首輪や胴輪の係止環に係止して該１方のフック８側の帯状体２が紐部３を形成し、他方のフック８を係止環１５に係止して把持部４を輪状に形成する。
【００２４】
そして該把持部４の長さを小型犬なら手が入る様に、又、大型犬なら肩に掛けられる様に補強環７内に共に挿通している帯状体２の長さを紐部３側から把持部４側に移動して調節する。この時係止環１５から補強環７を少し離して調節し易くする。
【００２５】
更に、例えば肩に掛けるのに丁度良い長さになったら補強環７を係止環１５に接近させるが、両者を密着させなくてもよい。
【００２６】
もし、引き紐１１に力が掛かると、係止環１５に挿通した帯状体２は補強環７の個所で紐部３側と把持部４側とに図５で左右方向に引っ張られるが、該帯状体２に形成されている横縞状の凹凸部２ａの凹んだ個所が補強環７の内側の角の部分に引っ掛かり、前記係止環１５に挿通している帯状体２が全く滑ることなく、従って輪状の把持部４の長さは変化せず、当初の輪状を維持することができる。
【００２７】
図６は前記係止環１５の変形例を示し、この変形例の係止環１５は略８字形に形成されてその下方の挿通孔１５ａに帯状体２が挿通され、上方の挿通孔１５ｂにフック８が係止される。
【００２８】
この様に第２の実施の形態のペットの引き紐１１は簡単な構造のＤ形などの係止環と方形の補強環及び頑丈な２つのフックと１本の帯状体との組合せにより構成されているので、壊れ難く丈夫で長期間使用することができ、又コストを低くすることができる。
【００２９】
【発明の効果】
このように本発明によると、引き紐の輪状の把持部の長さを調節するための紐部側と把持部側の両帯状体を共に方形の補強環内に挿通することにより、該帯状体に形成された横縞の凹凸に接する該補強環の内側の角が引っ掛かって、前記摺動係止具に挿通した帯状体が滑らず、輪状の把持部の当初の長さを維持できる効果を有する。
【図面の簡単な説明】
【図１】本発明の第１の実施の形態の引き紐の斜視図である。
【図２】その要部の断面側面図である。
【図３】その要部の断面平面図である。
【図４】本発明の第２の実施の形態の引き紐の斜視図である。
【図５】本発明の第２の実施の形態の引き紐の使用時の断面説明図である。
【図６】係止環の変形例の正面図である。
【符号の説明】
１    引き紐
２    帯状体
２ａ  凹凸部
３    紐部
４    把持部
５    摺動係止具
６    連結具
６ａ  係止突部
６ｂ  受部
７    補強環
８    フック
【図１】
0004889145.tif 000002
【図２】
0004889145.tif 000003
【図３】
0004889145.tif 000004
【図４】
0004889145.tif 000005
【図５】
0004889145.tif 000006
【図６】
0004889145.tif 000007